(57)【要約】【課題】  過去の撮影条件を参照して最適な撮影を実現できるようにすることを目的とするものである。【解決手段】  撮影手段と、上記撮影手段によって撮影された画像の表示手段と、撮影画像と撮影条件の蓄積手段と、現在の日時情報と蓄積画像の評価情報を元に蓄積画像を絞り込む手段と、撮影手段内のファインダー画像と上記絞りこみ手段の出力画像から類似度が高い画像を検出する手段と、検出した画像に付随する撮影条件を元に複数の撮影条件を作成する手段と、前記複数の撮影条件で連写する手段を設けたことを特徴とする画像撮影装置等、を提供する。【選択図】  図１
2006108915.tif 000002
【特許請求の範囲】
【請求項１】
撮影手段と、
上記撮影手段によって撮影された画像の表示手段と、
撮影画像と撮影条件の蓄積手段と、
現在の日時情報と蓄積画像の評価情報を元に蓄積画像を絞り込む絞り込み手段と、
上記撮影手段内のファインダー画像と上記絞り込み手段の出力画像から類似度が高い画像を検出する手段と、
検出した画像に付随する撮影条件を元に複数の撮影条件を作成する手段と、
前記複数の撮影条件で連写する手段と、
を設けたことを特徴とする画像撮影装置。
【請求項２】
撮影手段と、
上記撮影手段によって撮影された画像の表示手段と、
撮影画像と撮影条件の蓄積手段と、
撮影された画像の評価分類情報を付加する手段と、
画像撮影装置起動時に現在の日時情報と蓄積画像の評価情報や分類情報を元に蓄積画像を絞り込む絞り込み手段と、
上記撮影手段内のファインダー画像と上記絞り込み手段の出力画像から類似度が高い画像を検出する手段と、
検出した画像に付随する撮影条件の中から指定がある場合は指定された撮影条件を設定する手段と、
設定された以外の撮影条件はその設定された条件と現在の環境から自動で導き出した値を設定する手段と、
を設けたことを特徴とする画像撮影装置。
【請求項３】
上記検索する撮影画像の評価値は負の値であり、過去の失敗撮影例を利用することを特徴とする請求項１に記載の画像撮影装置。
【請求項４】
上記日時情報とは、日付時間と設定されている地域指定とから求められる季節、日中、夜朝等の情報であることを特徴とする請求項１に記載の画像撮影装置。
【請求項５】
上記絞り込む情報として、ユーザ指定のラベル情報を付加し、撮影時に撮影に対応したラベルを予め設定する処理手段を設けたことを特徴とする請求項１に記載の画像撮影装置。
【請求項６】
上記処理手段に加え、複数の撮影画像の撮影条件からより最良の撮影条件を得る処理手段を設けたことを特徴とする請求項５に記載の画像撮影装置。
【請求項７】
現在の日時情報と蓄積画像の評価情報を元に蓄積画像を絞り込む工程と、
撮影手段内のファインダー画像と上記絞りこみ手段の出力画像から類似度が高い画像を検出する工程と、
検出した画像に付随する撮影条件を元に複数の撮影条件を作成する工程と、
前記複数の撮影条件で連写する工程と、
を設けたことを特徴とする画像撮影方法。
【発明の詳細な説明】
【技術分野】
【０００１】
本発明は、デジカメ等のデジタル画像を撮影し、過去の撮影した画像と撮影条件のデータベースを持つ画像撮影装置及び画像撮影方法に関するものである。
【背景技術】
【０００２】
特開２０００−０４１１７４号公報等の商品撮影装置では、撮影した画像データと、制御装置で調整できる調製値を撮影条件として記憶できる手段と記憶されている撮影画像データの一覧を表示する手段と選択された撮影画像データに附属する調製値によって設定する手段とで構成され、次の商品の撮影を行う場合、その商品に似た撮影画像を一覧表示から探し選択する事によって、その画像に附属する調製値が撮影ボックスとデジタルカメラにたいして設定される構成であった。
【０００３】
又は、特開平１０−１７８５８４号公報等の撮影装置では、撮影した画像と撮影条件を記録する手段と、記録された撮影画像と撮影条件からシンボルを作成する手段と、作成されたシンボルの一覧を表示する手段と表示されたシンボルが選択されるとその選択されたシンボルに附属する撮影条件が設定される構成であった。
【０００４】
又は、特開２００３−３３３４９８号公報等の撮影条件データ配信装置＋デジカメでは、デジカメから検索条件としてファインダー画像と好みの写真家名のデータを送信し、撮影条件データ配信装置はその条件から撮影条件データベース内で検索を行って、撮影条件をデジカメ側に発信する構成であった。
【０００５】
【特許文献１】特開２０００−０４１１７４号公報
【特許文献２】特開平１０−１７８５８４号公報
【特許文献３】特開２００３−３３３４９８号公報
【発明の開示】
【発明が解決しようとする課題】
【０００６】
従来の特開２０００−０４１１７４号公報等の商品撮影装置では、撮影条件として商品撮影ボックス内の照明や商品の角度等を撮影条件設定値として記憶しておき設定するので、同一の撮影環境を作ることができるわけであるが、通常の野外の撮影や、スタジオ等での商品撮影においても、異なる場所であれば、照明の明るさや、色等など同一条件を構成できない事の方が多いがその場合には、この商品撮影装置は意味を無さない。
【０００７】
明るさや背景の色等異なる条件で撮影する場合は、上記構成でデジカメの撮影条件を設定しても、明るさとうが異なる為、撮影者が意図した撮影結果は得られない。又、多量の撮影画像がある場合は撮影画像の一覧から所望の撮影画像を選び出すのが難しかった。
【０００８】
又は、特開平１０−１７８５８４号公報等の撮影装置では、シンボルが小数の場合は、ユーザにとって判り易いのであるが、多数になった場合は、どのシンボルがどの撮影条件に結び付くのかが直観的に判らず不便であり、又選択操作も繁雑であった。
【０００９】
又は、特開２００３−３３３４９８号公報等の撮影条件データ配信装置とデジカメでは、ファインダー画像と写真家名を検索条件として撮影見本画像を検索するものである。
【００１０】
このシステム例では、画像として類似画像が存在しない場合は、当然撮影条件はセットされない。ある写真家の花の作例を利用しようとしても、同じ種類の花の撮影には類似画像検索で検索される事が予想される。
【００１１】
しかし、撮影しようとする花が異なる種類の花で色が異なる場合で、又背景等の色が異なる場合であれば、その画像を検索条件として送った場合その花の撮影見本データが類似画像として検索される事はありえない。
【００１２】
また、上記構成では見本画像に付随する撮影データがダウンロードされる構成のみである為、その見本画像と撮影条件の明るさ等が同一の時であれば同じ結果が予想されるが、撮影時が曇で、見本画像は晴天であれば、絞りを一定とすると最適なシャッタースピード等は異なるので、見本とは異なる写真になってしまう。
【００１３】
本発明は、過去の撮影条件を参照して最適な撮影を実現できるようにすることを目的とする。
【課題を解決するための手段】
【００１４】
本発明はかかる課題に鑑みなされたものであり、撮影手段と、上記撮影手段によって撮影された画像の表示手段と、撮影画像と撮影条件の蓄積手段と、現在の日時情報と蓄積画像の評価情報を元に蓄積画像を絞り込む絞り込み手段と、上記撮影手段内のファインダー画像と上記絞りこみ手段の出力画像から類似度が高い画像を検出する手段と、検出した画像に付随する撮影条件を元に複数の撮影条件を作成する手段と、前記複数の撮影条件で連写する手段を設けたことを特徴とする画像撮影装置等、を提供する。
【発明の効果】
【００１５】
本発明によれば、現在の日時情報と蓄積画像の評価情報を元に蓄積画像を絞り込む手段を設ける事により、画像撮影時に過去の蓄積撮影画像の中から現在の撮影シーンに近い画像を絞り込む事が実現できる。上記手段により、１画像に絞り込まれた時は、そのままその画像を使用するが、絞り込まれた結果が複数画像の時は次の手段に渡される。
撮影手段内のファインダー画像と上記絞りこみ手段の出力画像から類似度が高い画像を検出する手段を設ける事により、従来例より、高速に目的の同一撮影シーン画像を抽出できるデジタルカメラを提供できる。
又、検出した画像に付随する撮影条件を元に複数の撮影条件を作成する手段を設ける事により、上記検出した画像が過去の失敗例である場合その、撮影条件を元に新な複数の撮影条件を自動で作成し、その撮影条件を自動設定し連写することにより、簡単に最良の撮影結果を得る事が出来る。
また、前記手段に加え画像撮影装置の絞り込む情報として、ユーザ指定のラベル情報を付加し、撮影時に撮影に対応したラベルを予め設定する手段を設ける事により、より間単により高速に同一撮影シーン画像を抽出出来る画像撮影装置を提供できる。
また、さらに複数の撮影画像の撮影条件からより最良の撮影条件を得る処理手段を設ける事により、より最良の撮影結果が得られるデジタルカメラを提供できる。
この様に、構成することにより、デジタルカメラ等の携帯機器でも間単に過去の撮影結果を元に、ユーザにとってのベストショットを簡単に得ることができる。
【発明を実施するための最良の形態】
【００１６】
（第１の実施例）
図１は本発明の実際の使用形態を表している。１は、携帯情報機器であり、カメラ部、液晶表示部、ＣＰＵ、ＲＯＭ、ＲＡＭ、ＨＤ、記録メディアを差し込むスロット、他の情報機器と接続するためのＵＳＢ等のインターフェイス、他の通信機能をもったカメラと通信する無線通信部とで構成されている。カメラ部で撮影した画像を液晶表示部に表示し、その画像に対する評価や付加する設定等を行いＨＤ（ハードディスク）に記録する。そのＨＤに記録されている過去の撮影データを本発明の処理によって利用して、次の撮影の最良撮影条件設定を間単に設定できるように処理する。ＲＯＭには、本発明を含む携帯情報機器の情報処理手順が記憶されている。ＲＡＭには、撮影した画像データの一次記録、現在の撮影条件の値等が記憶されている。この実施例の場合は、表示部＋記憶部＋カメラ部＋通信部の構成であるが、表示操作部＋記憶部＋通信部とカメラ部＋通信部の２つの機器での構成も考えられる。この２つに分離された構成だと、カメラ部をより自由な位置に設置して撮影を行うことができる。又、Ｎ台のカメラを使う構成も実現できる。その場合、表示操作部とカメラ部の間は無線通信によって接続される。
【００１７】
２は、一般的な液晶表示部であり、その液晶表示部に撮影画像のファインダー画像や、過去に撮影した画像を表示し確認を行ったりする。
【００１８】
３は、一般的なデジタルカメラ部であり、レンズ、ＣＣＤ等の撮像素子で構成されている。１の携帯情報機器内のＣＰＵによって制御され、撮影された画像データはＣＰＵに接続されているＲＡＭに記憶される。ＲＡＭに記憶された画像は、その後ＨＤに最終的に記録される。その様に蓄積された撮影画像を利用して本特許の処理を実現する。
【００１９】
４は、無線通信用のアンテナで、１の携帯機器で撮影した画像を他の機器に送ることや、１の携帯機器で行う操作指示を他の無線通信部を持つカメラ５に送り、カメラ５から送られて来る画像データを受けとる。
【００２０】
５は、無線通信部を持つ一般的なデジタルカメラであり、通常のデジタルカメラにおけるＵＳＢＩ／Ｆと同様に無線通信部を通して画像データの受渡しや、カメラの撮影制御指示が行われるものである。
【００２１】
図２は本発明実施例の携帯情報機器のブロック図である。
２−１は、一般的な液晶表示部で、液晶表示素子、液晶制御回路、表示メモリから構成され、１１のシステムバス経由で６のＣＰＵに接続している。６のＣＰＵからの指示で、撮影画像データやファインダー画像データが画面上に表示される。
２−２は、一般的な携帯機器で使用される小型ハードディスクで、１１のシステムバス経由で６のＣＰＵに接続している。撮影された画像等がこのハードディスク内にファイルとして蓄積されていく。
２−３は、ＵＳＢ  Ｉ／Ｆで一般的なＵＳＢコントローラーチップ等で構成され１１のシステムバス経由で６のＣＰＵに接続されＣＰＵから制御される。
２−４は、リアルタイムクロックＩＣで一般的なリアルタイムクロックＩＣで、リチウム電池等デバックアップされて、日時情報をセットされ、携帯機器の電源がＯＦＦされても、時刻を刻むような構成となっている。
【００２２】
３は、一般的なデジタルカメラ部であり、レンズ、ＣＣＤ等の撮像素子、ＣＣＤの制御回路で構成されている。ＣＣＤの制御回路は１１のシステムバス経由で６のＣＰＵに接続している。６のＣＰＵによってＣＣＤは制御され、撮影された画像は７のＲＡＭに記憶される。
【００２３】
６は、一般的なＣＰＵであり、システムバス１１を介して、７のＲＡＭ、８のＲＯＭ、２−１の液晶表示部等と接続しており、８のＲＯＭに記憶されているプログラムによって処理動作を行う。
【００２４】
７は、一般的なＲＡＭであり、画像データの保存や、撮影された撮影画像処理プログラムのワーク領域として使われる。
【００２５】
８は、一般的なＲＯＭであり、ここに本発明の撮影画像処理手順や、他の携帯端末上のアプリケーション処理手順等が記憶されている。又、ＣＣＤの制御プログラム、液晶表示部の制御プログラム、他の処理手順も記憶されている。
【００２６】
９は、デジタルカメラ等で一般的なコンパクトフラッシュ（登録商標）のカードのインターフェイス部であり、差し込まれたコンパックトフラッシュカードのデータの読み込み書き込みを実現し、画像データ等を記憶することができる。
【００２７】
１０は、一般的な無線通信カードで、内部に無線ＬＡＮのコントローラやアンテナを内蔵している。通信カード内のコントローラに規定のコマンドを渡すことによって、無線ローカルエリアネットワークへ接続し、デジタル画像の送受信、制御コマンドの送受信を実行できる。送受信のプロトコル自体は、従来の方法と同一である。
【００２８】
１１は、一般的なシステムバスで、２−６のＣＰＵとＲＯＭ／ＲＡＭや他のデバイス等とのデータやり取りを行う。
【００２９】
図３は本発明実施例の処理構成図である。
３−１は、蓄積画像絞り込み手段で、３−２の画像記憶部に記憶されている過去の撮影画像を図２の２ー４のリアルタイムクロックＩＣから送られてくる日時情報によって、予め絞り込む処理を行う手段である。絞りこんだ撮影画像ファイル情報は３−３の類似画像検索手段に送られる。もし、絞り込み手段で絞りこんだ画像ファイルが１ファイルのみであればそのままその画像ファイル情報を３−４の撮影条件設定部へ送る。
【００３０】
３−２は、画像記憶部で、過去に撮影された画像等が図２の２−２ＨＤの中にファイルとして記憶されている。
【００３１】
３−３は、類似画像検索手段で、３−１の蓄積画像絞り込み手段によって絞り込まれた複数の撮影画像と３−５の撮影部から取り込またファインダー画像との類似度を計測し、類似度が一番高い撮影画像情報を３−４の撮影条件設定部に送る。
【００３２】
３−４は、撮影条件設定部で、送られてきた撮影画像の情報から撮影条件を作成し、３−５の撮影部に送る。送られてきた撮影画像が失敗写真であれば、その撮影情報を元に複数の撮影条件を作成し、撮影画像が成功写真であれば、その撮影情報の中から指定されている情報選択する。
【００３３】
３−５は、画像撮影部であり、図２の４のデジタルカメラ部と通常のデジタルカメラの撮影処理手順とで構成されている。通常のデジタルカメラで行われる処理手順で撮影が行われ、撮影画像＋撮影情報のデータが作成され、その撮影データが３−１の撮影画素実寸検出手段に送られる。
【００３４】
上記処理手段の詳細はフローチャート等を用いて詳細に説明する。
図４は、蓄積撮影画像データの構成図である、撮影画像ファイル自体は一般的なJPEG等のフォーマットに準拠している。撮影画像データは、撮影条件の情報と撮影後の評価分類情報と撮影画像データとで構成されている。撮影条件の情報の撮影画像情報１は撮影日時の情報が記録されている。この情報の時間を元に、この撮影が朝、昼間、夕方、夜中に行われたとか、日付を元に季節を判断する。
【００３５】
撮影画像情報２は撮影地域情報で、撮影した地域名が入力されている。例えば日本とか記録されている訳である。その情報の記録処理自体は、設定画面等で設定できるようにしておき、撮影地域が変更するときに設定変更する構成で実現できる。
【００３６】
撮影画像情報３は、撮影分類ラベル情報で、撮影画像を分類する為にユーザが設定したラベル情報が記録されている。例えば、花、風景、旅行、運動会等である。予め、一般的なラベル名は登録してあり、それ以外のユーザ固有な物は、ユーザ作成する事ができる構成とする。そのラベル情報の記録処理は、撮影後に、２−１の画像表示部で、撮影結果確認時に設定することもできるし、撮影前に、これから撮影する物は、このラベルを使うという設定も可能である。未設定の場合は、その他のラベルが割当られる。
【００３７】
撮影画像情報４は、画像評価度の値で、ユーザが撮影後に撮影画像の写りを確認し評価して評価値を記録したものである。例えば、評価してないか、良くも悪くもない場合を０として、最高を１０、最低を−１０とする。
【００３８】
撮影画像情報５は、シャッタースピードの情報で例えば１／１００秒等と記録されている。
【００３９】
撮影画像情報６は、絞りの情報で例えばＦ２．８等と記録されている。
【００４０】
撮影画像情報７は、絞り補正情報で、例えば＋０．３とか−０．５とか補正なしとかが記録されている。そして、その情報５、６、７の中で次の撮影に使う設定値の記録値の後には＊が記入されている。図４の例だと、Ｆ２．８＊なので、この撮影情報が選択された場合は、撮影条件としては、この絞りＦ２．８が設定される。
【００４１】
撮影画像情報８は、ＩＳＯ感度の情報で例えばＩＳＯ１００等と記録されている。
【００４２】
撮影画像データは一般的なＪＰＥＧ等の画像ファイルフォーマットである。
【００４３】
図５及び図６は、操作画面例である。
図５は、撮影画像の一覧を見ている操作画面例で、カーソルキーによって画像を選択している状態を表している。図６は、選択した画像の評価値を設定している画面である。
【００４４】
５−１、５−２、５−３、５−４はカーソルキーで、それぞれのカーソルキーを押すことによりカーソルが上下左右に移動する。５−５は決定キーで、例えばカーソルキーにより選択する画像を選び、その画像に決ったら決定キーを押す事によりその画像の設定モード等になる。５−６はメニューキーで、このキーが押されると、設定メニューやこの画像評価モード等のメニューが表示される。５ー７は取り消しキーで、このキーが押されると、設定モード等であれば、その設定モード等が中止されたりする。
【００４５】
６−１は、撮影画像評価値設定ウィンドウで、６−２の評価バーをカーソルキーにより移動する事により、評価値を決定入力する。
【００４６】
図７、図８及び図９はフローチャートである。
図７、図８、図９のフローチャートに沿って処理を説明していく。
図７のフローチャートは、電源投入から過去の撮影条件利用モードが選択されているときの処理を表したフローチャートである。
図８のフローチャートは、シャッターの半押し状態から全押しされる撮影時の処理を表したフローチャートである。
図９のフローチャートは、複数の撮影条件作成処理を表したフローチャートである。
【００４７】
ステップＳ７−１において、電源投入からの初期化処理が開始される。ＣＰＵ等の初期化やＯＳの起動等の従来からの初期化処理を行う。
【００４８】
次にステップＳ７−２において、現在の撮影モードがどの撮影モードであるかのチェックが行われる。この撮影モードはこの実施例では図には示さないが、従来の一般的なデジタルカメラと同様にモードダイヤルでの実装でかまわない。
【００４９】
そのモードダイヤルが現在過去の撮影条件利用モードならステップＳ７−４に進む。モードダイヤルがその他のモード例えば、従来からあるマニュアルモードや、ＡＶモードやＴＶモードなら、ステップＳ７−３の従来からの処理へ進む。又、このモードの判別自体は、別にモードダイヤル以外の実装方法でもかまはないのは言うまでもない。
【００５０】
ステップＳ７−４において、シャッターが半押しであるかどうかのチェックを行う。これはユーザが現在撮影しようとしているかのチェックである。シャッターが半押し状態であればステップＳ７−６に進み。半押し状態でなければステップＳ７−５に進む。
【００５１】
ステップＳ７−５において、他のキー入力があるかどうかのチェックを行う。他のキー入力がある場合は、そのキー入力の処理を行うが、これは、従来からのデジタルカメラでの処理と同じなので詳細な説明は省く。他のキーの入力が無い場合は入力待ちでステップＳ７−４に進む。
【００５２】
ステップＳ７−６において、現在の日時情報を読み出す処理を行う。図２の２−４のリアルタイムクロックＩＣから現在の日時情報を読み出し、ワーク領域に記憶しておく。
【００５３】
ステップＳ７−８において、読み出した日時情報を元に蓄積画像を検索する処理を行う。
【００５４】
過去に撮影された画像データは、図２の２−２ＨＤの中に、図４で説明したフォーマットの画像ファイルが、同一日付単位のディレクトリー構造で、ファイルとして記憶されている。ＨＤ内のファイルフォーマットは、従来からの一般てきなＦＡＴ等のフォーマットで構わない。まずは、日付情報によって、春夏秋冬の季節を特定し、その範囲でＨＤ内のファイルを検索する。例えば、現在の日付が４月１日なら、春なので春の範囲（４月〜６月）の撮影された画像データを検索する。次に、時間情報により、朝日中夕夜等の判別を行う。現在の時刻が、１０時３０分なら、日中として、４月〜６月の９時から１６時の範囲の撮影された画像データを検索し、検索結果として、１次記憶バッファーに記憶する。
【００５５】
過去の撮影画像の時間情報は、画像ファイル内の撮影画像情報１の撮影日時によって知る事ができる。
【００５６】
ユーザが、過去に撮影した小数のベストショットしか撮影画像データとして蓄積していなければ、上記の検索方法でも、問題なく目的を達成する。
【００５７】
又ユーザが、過去に撮影した画像を全て記憶指定する場合は、上記検索して１次記憶バッファーに記憶している画像の撮影画像情報の画像評価度の値を見て、０以上の画像評価値の画像を検出し、最高画像評価値の物を検索結果として記憶する。又同一評価値で撮影日時が新しい物と古い物がある場合は、最新の物を優先して検索結果として記憶する。
【００５８】
ステップＳ７−９において、検索結果のチェックを行う。ステップＳ７−８での検索結果で該当撮影画像が検出できなかった場合はステップＳ７−１０に進む。該当撮影画像が検出できている場合はステップＳ７−１１に進む。
【００５９】
ステップＳ７−１０において、検索範囲を広げる処理を行う。例えば、前記ステップＳ７−８での検索範囲が４〜６月であれば、３月から７月まで検索範囲を広げ、ステップＳ７−８に進み、蓄積画像を検索する。それでも検索できずに、また、このステップＳＳ７−１０にきたらば、２月から８月に検索範囲を広げる。それでもまだ検索不能の場合は、該当画像無しでこの過去の撮影条件利用モードを終了して通常の撮影モードに移行する。
【００６０】
ステップＳ７−１１において、該当撮影画像が複数あるかをチェックする。複数存在する場合は、ステップＳ７−１２に進む。該当撮影画像が単一である場合はステップＳ７−１４に進む。該当画像が複数ある場合は、例えば、同じ時期に花の写真のベストショットと風景の写真のベストショットを撮った物を記憶している場合とかである。
【００６１】
ステップＳ７−１２において、現在のファインダー画像と検索撮影画像との類似度を計測する処理を行う。画像の類似度の計測方法は、一般的な方法で構わない。例えば、ＲＧＢのヒストグラムを計測し、両画像を比較し、差異を記録する。
【００６２】
ステップＳ７−１３において、一番類似している検索画像を検出する処理を行う。前記ステップで検出した画像類似度の差異が最小の画像を検出する。
【００６３】
ステップＳ７−１４において、検出した画像ファイルの撮影画像情報４の画像評価度をチェックし、負の値の時はステップＳ７−１６に進み、正の値であれば、ステップＳ７−１５に進む。画像評価度が正の値であれば、その画像は、ユーザにとってのベストショットであり、負の値であれば、その画像は失敗写真である。
【００６４】
ステップＳ７−１５において、検索撮影画像の撮影条件をセットする処理を行う。
検索画像ファイルの撮影画像情報の５、６、７、８の情報をチェックし、その中でセットする事が指定されている撮影条件をセットする。例えば、図４で表した画像ファイルの様に絞りの値が、Ｆ２．８がセットする撮影条件として記憶されている場合はその値をセットする。そして、シャッタースピード等はセットする指定でなければ、セットせずに、そのセットしたＦ２．８に合した現在のシャッタースピードを従来からの絞り優先モードと同等の処理でセットする。
【００６５】
ステップＳ７−１６において、複数の撮影条件作成処理を行う。この処理は、元になる撮影画像が失敗画像であるので、その画像の撮影条件をそのままセットすると、又同じ結果になってしまうので、その撮影条件を利用して、複数の撮影条件を作成するという処理であり、詳細な処理はフローチャート図９に沿って後程説明する。
【００６６】
ステップＳ７−１７において、この過去の撮影条件利用モードでの処理を終了する。次に、シャッターが全押しされると、上記撮影条件がセットされた状態で、撮影を行うわけでその処理のステップＳ８−１へ進む。
【００６７】
ステップＳ８−１において、シャッター全押しでの撮影処理が行われる。
【００６８】
ステップＳ８−２において、シャッターが全押しされたかどうかのチェックを行う。シャッターが全押しされたらステップＳ８−５へ進み。そうでなければステップＳ８−３に進む。
【００６９】
ステップＳ８−３において、シャッターが半押しかどうかのチェックが行われる。半押しのままであれば、まだ撮影準備段階であるので、そのままステップＳ８−２に進み、全押しの入力待ちになる。シャッター半押しが解除され押されて無い場合であれば、撮影準備状態が解除されたので、ステップＳ８−４に進む。
【００７０】
ステップＳ８−４において、撮影準備状態からの解除処理を行う。図７で説明した、セットした撮影条件等の設定値を破棄し、ワーク領域やバッファー領域を破棄し、通常の入力待ちモードへ復帰する。
【００７１】
ステップＳ８−５において、連写モードであるかどうかをチェックする。前記ステップＳ７−１６において複数の撮影条件がセットされていれば、連写モードとなり、その複数の撮影条件で連写を行う訳である。連写モードであればステップＳ８−６に進み、連写モードなければステップＳ８−７に進む。
【００７２】
ステップＳ８−６において、セットされた複数の撮影条件で連写を行う。前記ステップＳ７−１６において複数の撮影条件が設定バッファーにセットされているので順次その設定で撮影を行う。撮影処理自体は従来からの処理であり、ＣＣＤから撮った画像データを最終的に画像ファイルとして保存する。
【００７３】
ステップＳ８−７において、セットされた撮影条件で通常の単写撮影を行う。
【００７４】
ステップＳ８−８において、過去の撮影条件利用モードでの撮影処理を終了し、ワーク領域バッファー領域等を解放し、通常のキー入力待ちに復帰する。
【００７５】
図９のフローチャートに沿って、複数の撮影条件作成処理を説明する。
ステップＳ９−１において、複数の撮影条件作成処理を開始する。
【００７６】
ステップＳ９−２において、撮影画像の指定撮影条件を読み出す。前記の図７のステップで検索した画像ファイルの指定撮影条件（ユーザがセットするように指定した撮影条件）を読み出し記憶する。
【００７７】
ステップＳ９−３において、指定撮影条件から撮影条件テーブルを読み出す処理を行う。
ユーザの失敗例等を統計処理して、ある撮影条件が失敗した場合は、次の撮影条件が妥当であるとういう条件を出しテーブル化しておく。
例えば、シャッタースピードが１／１００秒で失敗した場合は、１／５０秒、１／６０秒１／８０秒、１／１２５秒、１／１５０秒で撮影するのが妥当であるとすると、１／１００秒の条件テーブルには、１／５０秒、１／６０秒１／８０秒、１／１２５秒、１／１５０秒が記録されている。
その記録を読み出し記憶する。
【００７８】
ステップＳ９ー４において、読み出した値でＮ個の撮影条件を作成し、撮影条件バッファーに記憶する処理を行う。
例えば、読み出した値が、１／５０秒、１／６０秒１／８０秒、１／１２５秒、１／１５０秒であれば、１／５０秒と今の環境に合った、絞りの値を通常のシャッタースピード優先モードと同等の処理で導き、設定する。次々１／１５０秒までのシャッタースピードとそれにあう絞りを導き撮影条件バッファーに記憶しておく。
【００７９】
ステップＳ９−５において、この複数の撮影条件作成処理を終了する。
【００８０】
この様に、処理を構成することにより、現在の季節時刻に合った過去の撮影条件を利用して間単に撮影を行ってそのユーザにとってベストショットを簡単に撮影が出来るデジタルカメラを提供できる。また、ベストショットが未だ過去に存在しない場合に従来であれば、マニュアルで一々撮影条件を換えて撮っていた様な時でも、過去の失敗例を利用して、自動的に撮影条件を替えて連写を行うので、間単にベストショットを得ることができるデジタルカメラを提供できる。
【００８１】
（第２の実施例）
第１実施例では、時間情報だけで最初の撮影画像の選別を行う例を説明したが、他の条件を設定し、その条件と時間情報で過去の撮影画像の選別を行う構成も考えられる。そうすると現在撮影する条件に対する過去の撮影画像が簡単に検出できるので、ファインダー画像と類似画像検出の処理は省くことも可能になる。
【００８２】
図１０は、第２実施例の処理構成図である。第１実施例の図３の処理構成図と同一部番のものは同じ物なので説明は省く。
【００８３】
図１０の１０−１は第２実施例の蓄積画像絞り込み手段で、現在の時間情報とラベル情報によって、過去の撮影画像から今撮影しようとしている撮影画像検出する手段である。
【００８４】
図１１は、現在の月の情報と検索する撮影画像の検索範囲の関係を表した検索範囲テーブルである。
１月、１２月は、その月だけのイベント、例えば、クリスマスのイルミネーション等の撮影もあるのでその月だけを検索範囲とした。この検索テーブルもユーザ指定によって替る様な構成も考えられる。その場合は、このテーブルファイルを設定するユーザインターフェイスを追加すればよい。
【００８５】
図１２は、今から撮影する画像に対するラベルを決定する所を表した操作画像例である。図１２の１２−１に表したのが、撮影画像にセットする撮影画像ラベルメニューである。５−１、５−３のカーソルキーで、選び選択が決定したら５ー５の決定キーで決定する。撮影を開始する前に、この撮影画像ラベル設定モードを開始して設定する構成である。
【００８６】
図で示した様に、ラベルとして、花、海外の風景、モータースポーツ、人物であり、このラベルに該当する撮影を行う場合は、そのラベルを設定する。それ以外であれば、設定無しを選ぶ。この例では、ラベルは花、海外の風景、モータースポーツ、人物で説明するが、最初のラベルは、一般ユーザが使うようなものを１０種類程度用意しておき、後はユーザ設定で、追加、変更、削除ができる構成にしておけばよい。
【００８７】
また、撮影後に、撮影画像の表示モードでそのラベルを変更する事も、ラベル設定変更処理を追加すれば、簡単に実現できる。
又、ラベルキー専用のダイヤル等を携帯情報機器に設け、そのダイヤルを回転する事によって設定できる様にしてもよい。
【００８８】
図１３が第２実施例の、電源投入から過去の撮影条件利用モードが選択されているときの処理を表したフローチャートである。
【００８９】
このフローチャートに沿って処理を説明しておく。
ステップＳ１３−１において、電源投入からの初期化処理が開始される。ＣＰＵ等の初期化やＯＳの起動等の従来からの初期化処理を行う。又、ラベルダイヤルや、撮影モードダイヤル等が設けられている場合は、そのダイヤルの現在位置を読込み、ワーク領域等に記憶しておく。
【００９０】
ステップＳ１３−２において、現在の撮影モードがどの撮影モードであるかのチェックが行われる。この撮影モードはこの実施例では図には示さないが、従来の一般的なデジタルカメラと同様にモードダイヤルでの実装でかまわない。そのモードダイヤルが現在過去の撮影条件利用モードならステップＳ１３−４に進み、それ以外のモードであれば、ステップＳ１３−３へ進む。
【００９１】
ステップＳ１３−３において、それ以外のモードなので、従来の処理へ移動する。
【００９２】
ステップＳ１３−４において、現在の日時情報を読み出す処理を行う。この処理自体は、ステップＳ７−６の処理と同じ内容なので説明は省く。第２の実施例では、このフローチャートの構成でわかるように、電源投入時に、過去の撮影条件ファイルをある程度まで絞っておく構成とする。上記構成だと、シャッターを半押ししてからの処理が高速化出来るので実用的である。
【００９３】
ステップＳ１３−５において、撮影ラベルが指定されているかのチェックを行う。撮影ラベルが、図１２で表した撮影画像ラベル設定モードで花、海外の風景等が選択されていれば、その撮影ラベルが指定されている状態で、設定なしが選ばれていれば、指定されていない状態である。指定されていればステップＳ１３−６に進み、指定されていなければステップＳ１３−７に進む。
【００９４】
ステップＳ１３−６において、ラベル情報と共に日時情報を元に撮影画像を検索しバッファーに記憶する処理を行う。例えば、現在の撮影ラベルが花であって、現在の日時情報が８月の１０日であれば、過去の夏に撮影した花の撮影画像を検索してきて、一番評価値が高い撮影画像を記憶する訳である。
【００９５】
ステップＳ１３−７において、日時情報を元に蓄積画像を検索する処理を行う。例えば現在の撮影ラベルが設定無しであれば、現在の日情報のみで、撮影画像を検索する。例えば、現在の日時が１２月２４日の２０時であれば、過去の１２月の夜に撮った、クリスマスイルミネーションの画像が検出されたりする。
【００９６】
ステップＳ１３−４からＳ１３−７の処理は、電源投入時、または、撮影ラベル変更時に一回行えば良く、それ以外では、そのまま検索し記憶した撮影画像を利用するだけで良いのはいうまでもない。
【００９７】
ステップＳ１３−８において、シャッターが半押しであるかどうかのチェックを行う。これはユーザが現在撮影しようとしているかのチェックである。シャッターが半押し状態であればステップＳ１３−１１に進み。半押し状態でなければステップＳ１３−９に進む。
【００９８】
ステップＳ１３−９において、それ以外の入力があるかのチェックが行われる。それ以外の入力がある場合はステップＳ１３−１０に進み、入力がない場合は入力待ちでステップＳ１３−８に進む。
【００９９】
ステップＳ１３−１０において、シャッター以外の入力がなされたのであるから、撮影以外のモードへの移行であるので前記検索し記憶した検索画像等の記憶破棄し処理を終了し、その他のモードへ移行する処理を行う。
【０１００】
ステップＳ１３−１１〜Ｓ１３−１３の処理はステップＳ７−１１からＳ７−１３の処理と同等なので説明を省く。ユーザの使い方と撮影ラベルの指定の仕方が適切であれば、撮影画像はそれだけで絞られるので、類似画像半別処理は省いても問題がないかもしれない。
【０１０１】
ステップＳ１３−１４において、画像評価度がマイナスであるかのチェックを行う。マイナスであれば、ステップＳ１３−１５に進み、そうでなければ、ステップＳ１３−１９に進む。
【０１０２】
ステップＳ１３−１５において、複数の撮影条件作成処理を行う。処理自体は、図９で説明した処理と同等なので説明を省く。
【０１０３】
ステップＳ１３−１６において、複数の撮影条件設定処理を行う。
【０１０４】
ステップＳ１３−１７において、複数の撮影条件での連写を行う。処理自体は、ステップＳ８−６で説明した処理と同等である。
【０１０５】
ステップＳ１３−１８において、上記ステップ撮影した画像の評価処理を行う。連写した撮影条件が異なる画像を図５、図６の様に表示させ、その中で、一番良い画像を選択し、評価値を設定させる処理を行う。そうすれば、次の撮影に、同じ条件、同じ題材の撮影が続く場合は、その評価して記憶した画像の撮影条件がすぐ利用できる様に処理できる訳である。
【０１０６】
ステップＳ１３−１９において、検索撮影画像の撮影条件を設定する処理を行う。この処理は、ステップＳ７−１５と同様である。
【０１０７】
ステップＳ１３−２０において、撮影処理を行う。この処理は、ステップＳ８−７と同等であるので説明を省く。
【０１０８】
上記説明した様に、撮影ラベルとう条件と撮影ラベルの設定処理を追加し、電源投入と同時に現在撮影する条件に対する過去の撮影画像をラベル情報と時間情報を元に検索しておくので、通常のデジタルカメラに本特許を適応しても実用的に使えるレベルになる。
【０１０９】
（第３の実施例）
上記第２の実施例では、ステップＳ１３−１２とステップＳ１３−１３において、検索結果の画像が複数存在した場合は、現在のファインダー画像とその検索結果の画像との類似度を用いて１つの画像に絞っていたが。ユーザの使い方によっては、画像特徴的には類似している画像だとしても、撮影意図が異り異なる撮影条件で撮影される場合も存在する。そこで、そのような場合も考え、その様な画像が検索された場合は、類似度が同じであるが、指定撮影条件が著しく異なる場合、警告音を出し、ファインダー画像上にオーバーレーで、その検索画像を表示する構成にすればよい。
【０１１０】
図１４は、上記ファインダー画像上のオーバーレー検索画像選択表示である。
図１４の１４−１と、１４−２が検索結果の画像のオーバーレー表示である。この様な表示がファインダー画面上にでた場合は、ユーザはカーソルキーや、ダイヤル等で所望の画像を選択し、撮影を行う。
【０１１１】
又、検索結果の画像が、複数検出される場合でも別の例がある。例えば、絞りＦ１．２，Ｆ２．８で撮った２種類の花の写真があり、ユーザがその撮影結果では、最高には満足せずに評価値を８とかにしている場合の撮影結果が検索される場合がある。
【０１１２】
その場合、第２実施例までの構成で処理を行うと、何方かの花の撮影結果が選択され、絞りＦ１．２，Ｆ２．８が選択設定される訳であるが。そうすると、ユーザは撮影結果に完全には満足しないかもしれない。その場合だと、Ｆ１．２，Ｆ２．８の間のＦ１．８が理想の絞り値かもしれない。その為には、ステップＳ１３−１１とステップＳ１３−１２の間に新な処理を追加することにより実現できる。その処理を図１５のフローチャートに沿って説明する。
【０１１３】
ステップＳ１５−１おいてこの検索結果が複数の時の詳細処理を開始する。
【０１１４】
ステップＳ１５−２において、検索結果の撮影画像の評価値が８以下、２以上であるかをチェックする。上記条件に合わなければ、従来の処理で良いのでステップＳ１３−１２へ進み、合致すればステップＳ１５−３へ進む。
【０１１５】
ステップＳ１５−３において、検索結果撮影画像の撮影条件の項目が同一であるかをチェックする。一方が絞りの設定で、他方がシャッタースピードの設定だとすると、その２つの画像の撮影意図は異なるので通常の処理を行うのである。
【０１１６】
同一項目の場合はステップＳ１５−４へ進み、同一項目で無い場合はステップＳ１３−１２へ進む。
【０１１７】
ステップＳ１５−４において、検索結果撮影画像の撮影条件設定値の差異が小さいかをチェックする。差異が大き場合は、例えば、１つの方の撮影画像が、絞りがＦ２．８で他方がＦ１０だとすると、両者の撮影意図は異なるので、図１４で表した様に過去の撮影画像をファインダー等に表示させ、ユーザに確認させ、選択させたほうが良い。
【０１１８】
差異が小さい場合はステップＳ１５−５へ進み、差異が大きい場合はステップＳ１３−１２へ進む。
【０１１９】
ステップＳ１５−５において、値の平均値を求めその平均値に近い設定値をセットする処理を行う。例えば、２つの検索画像の設定値がＦ１．２，Ｆ２．８であれば、（１．２＋２．８）／２＝２．０であり、２．０に近い設定値が１．８であれば１．８がセットされ、若しちょうど設定値として２．０が妥当であれば２．０がセットされる。
【０１２０】
上記セットされれば、ステップＳ１３−１９にすすみ撮影が行われる。
【０１２１】
上記説明した様に、構成することにより、より使いやすく、色々な撮影結果を活かせるデジタルカメラを提供できる。
【図面の簡単な説明】
【０１２２】
【図１】本発明の実際の使用形態を表す図である。
【図２】本発明の携帯情報機器のブロック図である。
【図３】本発明実施例の処理構成図である。
【図４】撮影画像データの構成図である。
【図５】撮影画像の評価値記入操作画面例を示す図である。
【図６】同じく、撮影画像の評価値記入操作画面例を示す図である。
【図７】第１実施例のフローチャートである。
【図８】同じく、第１実施例のフローチャートである。
【図９】更に同じく、第１実施例のフローチャートである。
【図１０】第２実施例の処理構成図である。
【図１１】現在の日時と検索範囲のテーブルを表した概念図である。
【図１２】撮影ラベル設定画面例を示す図である。
【図１３】第２実施例のフローチャートである。
【図１４】第３実施例の検索結果の画像が複数検出された場合の表示選択画面例を示す図である。
【図１５】第３実施例のフローチャートである。
【符号の説明】
【０１２３】
１：携帯情報端末
２：画像表示部
２−１：画像表示部
２−２：ＨＤ
２−３：ＵＳＢインターフェイス
２−４：リアルタイムクロックＩＣ
３：カメラ部
４：無線アンテナ
５：デジタルカメラ
６：ＣＰＵ
７：ＲＡＭ
８：ＲＯＭ
９：画像メディアインターフェイス
１０：通信カード
１１：システムバス
【図１】
2006108915.tif 000003
【図２】
2006108915.tif 000004
【図３】
2006108915.tif 000005
【図４】
2006108915.tif 000006
【図５】
2006108915.tif 000007
【図６】
2006108915.tif 000008
【図７】
2006108915.tif 000009
【図８】
2006108915.tif 000010
【図９】
2006108915.tif 000011
【図１０】
2006108915.tif 000012
【図１１】
2006108915.tif 000013
【図１２】
2006108915.tif 000014
【図１３】
2006108915.tif 000015
【図１４】
2006108915.tif 000016
【図１５】
2006108915.tif 000017